(57)【要約】【課題】ホームネットワーク上で視聴年齢制限を維持できるようにする。【解決手段】視聴年齢制限装置は、ホームネットワークを介して映像配信機器１０に接続されるネットワーク通信部２３と、映像配信機器１０に保持される映像データのタイトルを選択するユーザインタフェース２２，ＲＭと、ユーザインタフェース２２，ＲＭにより選択されるタイトルの映像データを映像配信機器１０に要求し、この要求に従って映像配信機器１０から配信される映像データを再生する再生処理を行う制御ＣＰＵ部２１とを備える。制御ＣＰＵ部２１は選択タイトルが視聴年齢制限付きであることを確認した場合にこの選択タイトルの映像データの再生を省略する。【選択図】      図１
2009153069.tif 000002
【特許請求の範囲】
【請求項１】
ホームネットワークを介して映像配信機器に接続される通信部と、前記映像配信機器に保持される映像データのタイトルを選択するユーザインタフェースと、前記ユーザインタフェースにより選択されるタイトルの映像データを前記映像配信機器に要求し、この要求に従って前記映像配信機器から配信される映像データを再生する再生処理を行う制御部とを備え、前記制御部は前記選択タイトルが視聴年齢制限付きであることを確認した場合にこの選択タイトルの映像データの再生を省略することを特徴とする視聴年齢制限装置。
【請求項２】
前記制御部はＨＴＴＰ＿ＧＥＴコマンドにより前記選択タイトルの映像データを前記映像配信機器に要求し、前記選択タイトルが視聴年齢制限付きである場合に前記ＨＴＴＰ＿ＧＥＴコマンドの拡張領域に前記パスワードを付加し、前記パスワードの認証が前記映像配信機器で成功した場合に配信される映像データを例外的に再生することを特徴とする請求項１に記載の視聴年齢制限装置。
【請求項３】
前記制御部は前記パスワードの認証が前記映像配信機器で失敗した場合に配信されるエラー通知を再生画面として表示させることを特徴とする請求項２に記載の視聴年齢制限装置。
【請求項４】
前記制御部は前記選択タイトルのメタデータを前記映像配信機器に要求し、前記選択タイトルが視聴年齢制限付きであることを前記メタデータに付加される視聴年齢制限から確認することを特徴とする請求項１に記載の視聴年齢制限装置。
【請求項５】
ホームネットワークを介して映像再生機器に接続される通信部と、前記映像再生機器で選択されるタイトルの映像データを保持し、前記映像再生機器による前記選択タイトルの映像データの要求に従ってこの映像データを前記映像再生機器に配信する配信処理を行う制御部とを備え、前記制御部は前記選択タイトルが視聴年齢制限付きであることを確認した場合にこの選択タイトルの映像データの配信を省略することを特徴とする視聴年齢制限装置。
【請求項６】
前記制御部は、前記視聴年齢制限付き選択タイトルの映像データが前記映像再生機器からのＨＴＴＰ＿ＧＥＴコマンドにより要求された場合にこのコマンドの拡張領域に付加されたパスワードの認証を行い、このパスワードの認証が成功したことを確認して前記視聴年齢制限付き選択タイトルの映像データを例外的に前記映像再生機器に配信することを特徴とする請求項５に記載の視聴年齢制限装置。
【請求項７】
前記制御部は前記パスワードの認証が失敗した場合にエラー通知を前記映像再生機器に配信することを特徴とする請求項６に記載の視聴年齢制限装置。
【請求項８】
前記制御部は前記視聴年齢制限付き選択タイトルのメタデータが前記映像再生機器から要求された場合に、前記メタデータに視聴年齢制限を付加して配信することを特徴とする請求項５に記載の視聴年齢制限装置。
【請求項９】
ホームネットワークを介して映像配信機器または映像再生機器に接続される通信部と、前記映像配信機器に保持される映像データのタイトルを選択するユーザインタフェースと、前記ユーザインタフェースにより選択されるタイトルの映像データを前記映像配信機器に要求し、この要求に従って前記映像配信機器から配信される映像データを再生する再生処理、並びに前記映像再生機器で選択されるタイトルの映像データを保持し、前記映像再生機器による前記選択タイトルの映像データの要求に従ってこの映像データを前記映像再生機器に配信する配信処理を行う制御部とを備え、前記制御部は前記再生処理において前記選択タイトルが視聴年齢制限付きであることを確認した場合にこの選択タイトルの映像データの再生を省略し、前記配信処理において前記選択タイトルが視聴年齢制限付きであることを確認した場合にこの選択タイトルの映像データの配信を省略することを特徴とする視聴年齢制限装置。
【請求項１０】
ホームネットワークを介して接続される映像配信機器に保持される映像データのタイトルを選択し、選択タイトルの映像データを前記映像配信機器に要求し、この要求に従って前記映像配信機器から配信される映像データを再生する再生処理を行い、前記選択タイトルが視聴年齢制限付きであることを確認した場合にこの選択タイトルの映像データの再生を省略することを特徴とする視聴年齢制限方法。
【発明の詳細な説明】
【技術分野】
【０００１】
本発明は、例えばホームネットワーク上で配信される映像データについてタイトル毎の視聴年齢制限を行う視聴年齢制限装置および視聴年齢制限方法に関する。
【背景技術】
【０００２】
近年では、ホームネットワークがテレビ受信機、ＤＶＤレコーダ、コンピュータなどを互いに連携させるために利用されている。例えばＤＶＤレコーダおよびこのＤＶＤレコーダの再生出力端に直接接続されたモニタディスプレイが居間に設置され、テレビ受信機が寝室や子供部屋に設置される場合には、居間のＤＶＤレコーダおよび寝室や子供部屋のテレビ受信機がＬＡＮ（ローカルエリアネットワーク）のようなホームネットワークで相互接続される。寝室や子供部屋のテレビ受信機はこのホームネットワークを介して居間のＤＶＤレコーダに映像データの配信を要求し、このＤＶＤレコーダから配信される映像データを視聴することが可能である。
【０００３】
一般にテレビ受信機は放送番組を選択的に受信して得られた番組タイトルの視聴年齢制限を解除するためにパスワードを利用している（例えば、特許文献１を参照）。また、ＤＶＤレコーダもテレビ受信機と同様に放送番組を選択的に受信して得られた番組タイトルやＤＶＤ収録タイトルの視聴年齢制限を解除するためにパスワードを利用している。
【特許文献１】特開２００３−６９９７８号公報
【発明の開示】
【発明が解決しようとする課題】
【０００４】
従来、ホームネットワーク上では、これらテレビ受信機およびＤＶＤレコーダの一方が映像配信機器として利用され、他方が映像再生機器として利用されることになる。映像再生機器側では、図１０に示すようなタイトルリストが視聴年齢制限の区別なく表示される。このような状況で、タイトルの視聴年齢制限が映像配信機器側で解除されていると、このタイトルの映像データを要求したときに無条件で配信されてしまう。従って、子供が映像配信機器から配信可能なタイトルとして例えばニュースを選択したときに、残虐なシーンの映像が再生されてしまうことがある。
【０００５】
本発明はこのような課題に鑑みてなされたものであり、ホームネットワーク上で視聴年齢制限を維持できる視聴年齢制限装置および視聴年齢制限方法を提供することを目的とする。
【課題を解決するための手段】
【０００６】
本発明の第１観点によれば、ホームネットワークを介して映像配信機器に接続される通信部と、映像配信機器に保持される映像データのタイトルを選択するユーザインタフェースと、ユーザインタフェースにより選択されるタイトルの映像データを映像配信機器に要求し、この要求に従って映像配信機器から配信される映像データを再生する再生処理を行う制御部とを備え、制御部は選択タイトルが視聴年齢制限付きであることを確認した場合にこの選択タイトルの映像データの再生を省略する視聴年齢制限装置が提供される。
【０００７】
本発明の第２観点によれば、ホームネットワークを介して映像再生機器に接続される通信部と、映像再生機器で選択されるタイトルの映像データを保持し、映像再生機器による選択タイトルの映像データの要求に従ってこの映像データを映像再生機器に配信する配信処理を行う制御部とを備え、制御部は選択タイトルが視聴年齢制限付きであることを確認した場合にこの選択タイトルの映像データの配信を省略する視聴年齢制限装置が提供される。
【０００８】
本発明の第３観点によれば、ホームネットワークを介して接続される映像配信機器に保持される映像データのタイトルを選択し、選択タイトルの映像データを映像配信機器に要求し、この要求に従って映像配信機器から配信される映像データを再生する再生処理を行い、選択タイトルが視聴年齢制限付きであることを確認した場合にこの選択タイトルの映像データの再生を省略する視聴年齢制限方法が提供される。
【発明の効果】
【０００９】
これら視聴年齢制限装置および視聴年齢制限方法では、選択タイトルが視聴年齢制限付きであることを確認した場合にこの選択タイトルの映像データの再生や配信が省略される。これにより、ホームネットワーク上で視聴年齢制限を維持することができる。これに加えて、視聴年齢制限付きの選択タイトルの映像データを映像再生機器から映像配信機器に要求する際に、ＨＴＴＰ＿ＧＥＴコマンドの拡張領域にパスワードを付加すれば、パスワードの認証が映像配信機器で行うことができるため、このパスワード認証に成功した場合だけ映像配信機器から映像データを配信して映像再生機器で例外的に再生することが可能になる。
【発明を実施するための最良の形態】
【００１０】
以下、本発明の第１実施形態に係るホームネットワークシステムについて添付図面を参照して説明する。
【００１１】
図１はこのホームネットワークシステムの構成例を示す。ホームネットワークシステムでは、映像配信機器１０、映像再生機器２０、および映像再生機器３０がホームネットワークとして設けられたローカルエリアネットワーク（ＬＡＮ）により相互接続されている。ここでは、ハードディスク内蔵ＤＶＤレコーダが映像配信機器１０および映像再生機器２０として設けられ、テレビ受信機が映像再生機器３０として設けられている。映像配信機器１０および映像再生機器２０は同一の構成を有する。映像配信機器１０は様々なタイトルの映像データを映像再生機器２０または３０に配信するために用いられ、映像再生機器２０および３０は映像配信機器１０から配信される映像データを再生するために用いられる。モニタディスプレイＭＤは再生映像を表示するために映像再生機器２０のハードディスク内蔵ＤＶＤレコーダの再生出力端に接続されている。但し、ハードディスク内蔵ＤＶＤレコーダおよびテレビ受信機は配信すべき映像データを受信あるいは保持可能であるため、映像配信機器および映像再生機器のどちらにも変更してもよい。
【００１２】
図１に示すように、映像再生機器２０のハードディスク内蔵ＤＶＤレコーダは制御ＣＰＵ部２１、ユーザ操作入力部２２、ネットワーク通信部２３、チューナ部２４、メモリ部２５、録再信号処理部２６、ＤＶＤユニット２７、ハードディスク（ＨＤＤ）ユニット２８、および赤外線通信部２９を備える。制御ＣＰＵ部２１はＤＶＤレコーダ全体の動作を制御するために設けられ、例えば様々な処理を行う処理回路、この処理回路の制御プログラムや初期データを保持するＲＯＭ、および処理回路の入出力データを一時的に保存するＲＡＭを含んで構成される。ユーザ操作入力部２２は各種レコーダ動作コマンド入力、タイトル選択、パスワード入力、その他の操作のために用いられる。赤外線通信部２９はユーザ操作入力部２２と同様に各種レコーダ動作コマンド入力、タイトル選択、パスワード入力、その他の操作のために用いられるユーザリモコンＲＭからの操作信号を制御ＣＰＵ部２１に供給する。ネットワーク通信部２３はホームネットワーク（ＬＡＮ）経由の通信を行う。チューナ部２４は制御ＣＰＵ部２１により選択される放送番組を受信して復調し、この復調結果を録再信号処理部２６に供給する。メモリ部２５は録再信号処理部２６の処理データを一時的に保持するバッファメモリである。録再信号処理部２６はチューナ部２４からの復調結果を映像データとしてモニタディスプレイＭＤやＨＤＤユニット２８に出力したり、ＨＤＤユニット２８に保持された映像データをモニタディスプレイＭＤやＤＶＤユニット２７に出力したり、ＤＶＤユニット２７から得られる映像データをモニタディスプレイＭＤに出力するための圧縮伸張処理を行う。また、映像データのＤＶＤ記録フォーマットについては、制御ＣＰＵ部２１で変換される。
【００１３】
映像配信機器１０のハードディスク内蔵ＤＶＤレコーダは、映像再生機器２０と同様に制御ＣＰＵ部２１、ユーザ操作入力部２２、ネットワーク通信部２３、チューナ部２４、メモリ部２５、録再信号処理部２６、ＤＶＤユニット２７、ハードディスク（ＨＤＤ）ユニット２８、および赤外線通信部２９を備えている。映像再生機器３０のテレビ受信機は、映像再生機器２０に設けられた制御ＣＰＵ部２１、ユーザ操作入力部２２、ネットワーク通信部２３、チューナ部２４、メモリ部２５、録再信号処理部２６、および赤外線通信部２９にモニタディスプレイを追加して構成されている。また、このテレビ受信機に録画機能を持たせる場合には、ＨＤＤユニット２８を追加すればよい。
【００１４】
図２は例えば映像再生機器２０からの要求により映像配信機器１０から配信されるタイトルリストの一例を示す。この例では、「ニュース２０」、「ドラマＡ」、および「映画Ａ」が視聴年齢制限タイトルとして表示されている。
【００１５】
図３は映像配信機器１０の制御ＣＰＵ部２１の映像配信構成を示す。映像配信機器１０では、制御ＣＰＵ部２１が図２に示すタイトルリストやメタデータのようなタイトル管理情報の要求を映像再生機器２０，３０から受信する処理を行うタイトル管理情報要求受信処理部２１Ａ、このタイトル管理情報を映像再生機器２０，３０に送信する処理を行うタイトル管理情報送信処理部２１Ｂ、映像再生機器２０，３０からのパスワードを受信する処理を行うパスワード受信処理部２１Ｃ、およびエラー通知のような再生可否情報および映像データを映像再生機器２０，３０に配信する処理を行う再生可否情報および映像データ配信処理部２１Ｄを少なくとも含む。これらは、制御ＣＰＵ部２１の処理回路により実行される制御プログラムであるソフトウェアで構成される。
【００１６】
図４は映像再生機器２０，３０の制御ＣＰＵ部２１の映像再生構成を示す。映像再生機器２０，３０の各々では、制御ＣＰＵ部２１がタイトルリストやメタデータのようなタイトル管理情報の要求を映像配信機器１０に送信する処理を行うタイトル管理情報要求送信処理部２１Ｐ、映像配信機器１０からのタイトル管理情報を受信する処理を行うタイトル管理情報受信処理部２１Ｑ、映像配信機器１０からのタイトル管理情報に含まれるメタデータの拡張領域に視聴年齢制限のために付加される視聴年齢制限の有無を判別する処理を行う視聴年齢制限情報判別処理部２１Ｒ、パスワード入力画面を生成する処理を行うパスワード入力画面生成処理部２１Ｓ、パスワード入力画面を表示させる処理を行うパスワード入力画面表示処理部２１Ｔ、映像データ要求のような再生要求およびパスワードを像配信機器１０に送信する処理を行う再生要求およびパスワード送信処理部２１Ｕ、映像配信機器１０からの映像データの再生画面を制御する処理を行う配信映像データ再生画面制御処理部２１Ｖを少なくとも含む。これらは、制御ＣＰＵ部２１の処理回路により実行される制御プログラムであるソフトウェアで構成される。尚、映像配信機器１０のＤＶＤレコーダは映像再生機器として機能する場合に備えて図５に示す映像再生構成をさらに有し、映像再生機器２０，３０のＤＶＤレコーダおよびテレビ受信機は映像配信機器として機能する場合に備えて図４に示す映像配信構成をさらに有することが好ましい。
【００１７】
図５は、視聴年齢制限付きのタイトルを再生する場合に映像配信機器１０および映像再生機器２０間でホームネットワークを介して行われる通信内容を示す。映像再生機器２０のユーザリモコンＲＭで視聴年齢制限付きのタイトルを選択すると、映像再生機器２０が選択タイトルのメタデータをBrowseMetadataコマンドにより映像配信機器１０に要求する。映像配信機器１０はこの要求に応答して選択タイトルのメタデータを映像再生機器２０に配信する。映像再生機器２０はこのメタデータから視聴年齢制限を確認し、さらにパスワード入力画面を生成し、モニタディスプレイＭＤに表示させる。これに伴ってユーザリモコンＲＭがパスワードの入力を行うと、映像再生機器２０がＨＴＴＰ＿ＧＥＴコマンドにより選択タイトルの映像データを映像配信機器１０に要求し、さらにこのＨＴＴＰ＿ＧＥＴコマンドの拡張領域内にパスワードを付加することによりこのパスワードを通知する。映像再生機器２０はこのパスワードが予め管理ユーザによって設定されたパスワードに一致することを確認するパスワード認証を行い、このパスワード認証に成功した場合に選択タイトルの映像データを映像再生機器２０に配信する。映像再生機器２０は映像配信機器１０から配信された選択タイトルの映像データを再生してモニタディスプレイＭＤに表示させる。
【００１８】
図６は映像配信機器１０から映像再生機器２０に配信されるメタデータの一例を示す。メタデータは図６に示すようなＸＭＬ形式で記述される。このメタデータでは、視聴年齢制限情報がARIBで規定されるタグ＜upnp:rating＞として付加されている。
【００１９】
図７は映像再生機器２０から映像配信機器１０へ送信されるＨＴＴＰ＿ＧＥＴコマンドの一例を示す。このＨＴＴＰ＿ＧＥＴコマンドは、「200709192000.mpg」という選択タイトル情報に加えて、さらに拡張領域(ＨＴＴＰヘッダのフィールド）に付加された「PARENTAL-CODE:2477」というパスワード情報を含む。ここで、「２４７７」が視聴年齢制限を解除するためのパスワードを表す。
【００２０】
図８は映像再生機器２０側で行われる再生処理を示す。図４に示す映像再生構成はこの再生処理を行うために組合される。この再生処理は通常映像配信機器１０から映像再生機器２０に配信されモニタディスプレイＭＤに表示されるタイトルリストから例えばリモコンＲＭで所望のタイトルを選択することにより開始される。ステップＳ１では、選択タイトルのメタデータ要求が映像配信機器１０に対して行われる。続くステップＳ２では、映像配信機器１０からのメタデータを取得したか繰返しチェックされる。メタデータが取得されると、ステップＳ３で視聴年齢制限データが取得したメタデータに存在するかチェックされ。メタデータがメタデータに存在しない場合には、選択タイトルが視聴年齢制限付きでないと判断され、ステップＳ４で選択タイトルの映像データの要求のみが映像配信機器１０に対して行われる。他方、メタデータがメタデータに存在する場合には、選択タイトルが視聴年齢制限付きであると判断され、ステップＳ５でパスワード入力画面が生成され、モニタディスプレイＭＤに表示される。続くステップＳ６では、パスワードがリモコンＲＭやユーザ操作入力部２２のようなユーザインタフェースから入力されたか繰返しチェックされる。パスワードの入力が確認されると、ステップＳ７で選択タイトルの映像データ要求およびパスワード通知が映像配信機器１０に対して行われる。
【００２１】
ステップＳ８はステップＳ４およびステップＳ７の各々に続いて実行され、映像配信機器１０から映像データの配信があるかチェックされる。映像データの配信が無い場合には、ステップＳ９でエラー通知を受取ったかチェックされる。エラー通知を受取っていない場合には、ステップＳ８，Ｓ９が繰返し実行される。これに対して、エラー通知を受取った場合には、再生処理が終了する。すなわち、選択タイトルの映像データの再生が省略される。
【００２２】
また、ステップＳ８で映像データが配信された場合には、ステップＳ１０でこの映像データが再生され、モニタディスプレイＭＤで表示されたり、ＨＤＤユニット２８へ保存されたりする。ステップＳ１１では、映像データの再生が完了したかチェックされ、この完了までステップＳ８〜Ｓ１１が繰返し実行される。映像データの再生が完了したことがステップＳ１１で確認されると、再生処理が終了する。尚、映像再生機器３０のテレビ受信機はＤＶＤユニット２７やＨＤＤユニット２８を使用しない範囲で映像再生機器２０と同様に上述の再生処理を行う。
【００２３】
図９は映像配信機器１０側で行われる配信処理を示す。図５に示す映像配信構成はこの配信処理を行うために組合される。この配信処理は通常映像再生機器２０へのタイトルリストの配信に伴って開始される。ステップＳ２１では、映像再生機器２０から選択タイトルのメタデータ要求があったかチェックされる。このメタデータ要求があると、ステップＳ２２で選択タイトルのメタデータが映像再生機器２０へ配信される。続く、ステップＳ２３では、映像再生機器２０から選択タイトルの映像データ要求があったかチェックされる。このステップＳ２３は、ステップＳ２１でメタデータ要求が無い場合にも実行される。選択タイトルの映像データ要求が無い場合には、ステップＳ２１が再び実行される。ステップＳ２３で選択タイトルの映像データ要求があると、ステップＳ２４で選択タイトルが視聴年齢制限タイトルかチェックされる。視聴年齢制限タイトルであれば、映像再生機器２０から通知されたパスワードが正しいかステップＳ２５でチェックされる。すなわち、映像再生機器２０から通知されたパスワードが予め映像配信機器１０に管理ユーザにより設定されるパスワードと照合される。これらパスワードが一致した場合、パスワード認証に成功したと判断され、ステップＳ２６で選択タイトルの映像データがその再生を許可するために映像再生機器２０に配信される。また、これらパスワードが不一致である場合、パスワード認証に失敗したと判断され、ステップＳ２７でエラー通知が選択タイトルの映像データの再生を不許可とするために映像再生機器２０に配信される。映像配信処理はこれらステップＳ２６およびＳ２７の各々に続いて終了する。
【００２４】
このホームネットワークシステムでは、映像配信機器１０、映像再生機器２０および３０がいずれも視聴年齢制限装置として機能する。すなわち、選択タイトルが視聴年齢制限付きであることを確認した場合にこの選択タイトルの映像データの再生や配信が省略される。これにより、ホームネットワーク上で視聴年齢制限を維持することができる。これに加えて、視聴年齢制限付きの選択タイトルの映像データを映像再生機器２０または３０から映像配信機器１０に要求する際に、ＨＴＴＰ＿ＧＥＴコマンドの拡張領域にパスワードが付加される。これにより、パスワードの認証が映像配信機器１０で行うことができるため、このパスワード認証に成功した場合だけ映像配信機器１０から映像データを配信して映像再生機器２０，３０で例外的に再生することが可能になる。
【００２５】
尚、本発明は上述の実施形態に限定されず、その要旨を逸脱しない範囲で様々に変形可能である。
【００２６】
上述の実施形態のホームネットワークシステムは、少なくとも視聴年齢制限タイトルを保持するＤＶＤレコーダをホームネットワーク上の映像配信機器として、ＤＶＤレコーダやテレビ受信機のような他のホームネットワーク上の映像再生機器でこの視聴年齢制限タイトルを再生できるように構成されたが、視聴年齢制限タイトルだけ再生できないようにする場合には映像再生機器側でメタデータから視聴年齢制限タイトルを確認してこのタイトルの映像データの再生を省略すればよい。この場合には、パスワード認証のための処理は必要とされない。
【００２７】
また、パスワードのセキュリティを考慮しない簡易的な方式として、映像配信機器側で視聴年齢制限の解除用に設定されたパスワードを視聴年齢制限タイトルのメタデータに付加して映像再生機器に配信し、この映像再生機器でユーザインタフェースから入力されるパスワードをメタデータ内のパスワードと照合するパスワード認証を行ってもよい。
【００２８】
さらに、上述の実施形態では、映像配信機器１０が視聴年齢制限タイトルを含む様々なタイトルをＨＤＤユニット２８に蓄積した状態で保持するが、リアルタイムに受信される放送番組のようなタイトルの映像データを配信対象とし、これをバッファメモリ等により一時的に保持して映像再生機器２０，３０へ配信してもよい。
【図面の簡単な説明】
【００２９】
【図１】本発明の第１実施形態に係るホームネットワークシステムの構成例を示す図である。
【図２】図１に示す映像再生機器からの要求により映像配信機器から配信されるタイトルリストの一例を示す図である。
【図３】図１に示す映像配信機器の制御ＣＰＵ部の映像配信構成を示す図である。
【図４】図１に示す映像再生機器の制御ＣＰＵ部の映像再生構成を示す図である。
【図５】図１に示す映像配信機器および映像再生機器間でホームネットワークを介して行われる通信内容を示す図である。
【図６】図５に示す映像配信機器から映像再生機器に配信されるメタデータの一例を示す図である。
【図７】図５に示す映像再生機器から映像配信機器へ送信されるＨＴＴＰ＿ＧＥＴコマンドの一例を示す。
【図８】図５に示す映像再生機器側で行われる再生処理を示す図である。
【図９】図５に示す映像配信機器側で行われる配信処理を示す図である。
【図１０】従来のタイトルリストの一例を示す図である。
【符号の説明】
【００３０】
１０…映像配信機器（ＤＶＤレコーダ）、２０…映像再生機器（ＤＶＤレコーダ）、３０…映像再生機器（テレビ受信機）、２１…制御ＣＰＵ部、２２…ユーザ操作入力部、２３…ネットワーク通信部、ＭＤ…モニタディスプレイ、ＲＭ…ユーザリモコン。
【図１】
2009153069.tif 000003
【図２】
2009153069.tif 000004
【図３】
2009153069.tif 000005
【図４】
2009153069.tif 000006
【図５】
2009153069.tif 000007
【図６】
2009153069.tif 000008
【図７】
2009153069.tif 000009
【図８】
2009153069.tif 000010
【図９】
2009153069.tif 000011
【図１０】
2009153069.tif 000012